(57)【要約】【課題】ストラップで３本の指を支持して、歩行時に手が受けるストレスを軽減すると共に、フリーな親指と人差し指によりグリップの操作性を向上させて、歩行補助効果を十分に高めることが可能な歩行補助用ポールのグリップを提供する。【解決手段】ポールの上部に配設されたグリップ本体と、該グリップ本体の上端部と下端部との間に配設され歩行者がグリップ本体を握った際に、歩行者の手の甲側を支持可能なストラップと、を備え、ストラップは、歩行者の中指、薬指及び小指の３本の指の甲側を支持可能にグリップ本体に取り付けられていることを特徴とする。前記グリップ本体は、ストラップの上端より上部に、歩行者のフリーとなった人差し指と親指を支持可能な人差し指載置部と親指載置部が設けられた指支持部を有する。【選択図】  図２
2016030116.tif 000002
【特許請求の範囲】
【請求項１】
ポールの上部に配設されたグリップ本体と、該グリップ本体の上端部と下端部との間に配設され歩行者がグリップ本体を握った際に、歩行者の手の甲側を支持可能なストラップと、を備え、
前記ストラップは、前記歩行者の中指、薬指及び小指の３本の指の甲側を支持可能に前記グリップ本体に取り付けられていることを特徴とする歩行補助用ポールのグリップ。
【請求項２】
前記グリップ本体は、前記ストラップの上端より上部で前記歩行者のフリーとなった人差し指と親指を支持可能な指支持部を有することを特徴とする請求項１に記載の歩行補助用ポールのグリップ。
【請求項３】
前記指支持部は、グリップ本体の上端部に形成されて親指を載置可能な親指載置部と、該親指載置部の下部に形成されて人差し指を載置可能な人差し指載置部とを有し、前記人差し指載置部は、前記グリップ本体に一体形成されるかもしくは別部材で形成されて前記親指載置部の下部に取り付けられていることを特徴とする請求項２に記載の歩行補助用ポールのグリップ。
【請求項４】
前記人差し指載置部の載置面と前記親指載置部の載置面及び側面が凹曲面を有することを特徴とする請求項３に記載の歩行補助用ポールのグリップ。
【発明の詳細な説明】
【技術分野】
【０００１】
本発明は、例えばノルディック・ウォークをする際に使用したり高齢者等が歩行する際に杖として使用する歩行補助用ポールに関わり、特にポールの上部に取り付けられて歩行者が手で握るためのグリップに関する。
【背景技術】
【０００２】
従来、この種のグリップとしては、例えば特許文献１に開示されている。このグリップは、ポールの上部に取り付けられるグリップ本体と、このグリップ本体の上端部と下端部との間に配設された長さ調整可能なストラップとを備えている。そして、グリップ本体の上端部に設けられた凹状の曲面からなる親指支持部に親指を載せた状態で、他の４本の指でグリップ本体を握ると共に４本の指をストラップ内に位置させ、該指の甲部分をストラップで支持するようにしている。
【先行技術文献】
【特許文献】
【０００３】
【特許文献１】特許第５４６００２号公報
【発明の概要】
【発明が解決しようとする課題】
【０００４】
しかしながら、このようなグリップにあっては、ストラップ内に親指を除く４本の指が位置してこれら指（手）の甲側をストラップで支持するため、４本の指がストラップにより所定圧で押さえ付けられる状態となり、歩行者が４本の指に窮屈感を感じて歩行時にストレスとなったり、フリーな指が親指の１本のみであるため、手によるグリップの操作性が劣る等、歩行補助効果を十分に高めることが難しい。
【０００５】
本発明は、このような事情に鑑みてなされたもので、その目的は、ストラップで３本の指を支持して、歩行時に手が受けるストレスを軽減すると共に、フリーな親指と人差し指によりグリップの操作性を向上させて、歩行補助効果を十分に高めることが可能な歩行補助用ポールのグリップを提供することにある。
【課題を解決するための手段】
【０００６】
かかる目的を達成すべく、本発明のうち請求項１に記載の発明は、ポールの上部に配設されたグリップ本体と、該グリップ本体の上端部と下端部との間に配設され歩行者がグリップ本体を握った際に、歩行者の手の甲側を支持可能なストラップと、を備え、前記ストラップは、前記歩行者の中指、薬指及び小指の３本の指の甲側を支持可能に前記グリップ本体に取り付けられていることを特徴とする。
【０００７】
また、請求項２に記載の発明は、前記グリップ本体が、前記ストラップの上端より上部で前記歩行者のフリーとなった人差し指と親指を支持可能な指支持部を有することを特徴とする。さらに、請求項３に記載の発明は、前記指支持部が、グリップ本体の上端部に形成されて親指を載置可能な親指載置部と、該親指載置部の下部に形成されて人差し指を載置可能な人差し指載置部とを有し、前記人差し指載置部は、前記グリップ本体に一体形成されるかもしくは別部材で形成されて前記親指載置部の下部に取り付けられていることを特徴とする。また、請求項４に記載の発明は、前記人差し指載置部の載置面と親指載置部の載置面及び側面が凹曲面を有することを特徴とする。
【発明の効果】
【０００８】
本発明のうち請求項１に記載の発明によれば、ストラップが歩行者の中指、薬指及び小指の３本の指の甲側を支持可能にグリップ本体に取り付けられているため、親指と人差し指をフリーとして、ストラップ内に３本の指を位置させることで、歩行時に歩行者が手に受けるストレスを軽減することができると共に、フリーな状態の親指と人差し指によりグリップの的確な操作が可能になり、グリップの操作性を向上させて、歩行補助効果を十分に高めることができる。
【０００９】
また、請求項２に記載の発明によれば、請求項１に記載の発明の効果に加え、グリップ本体がストラップの上端より上部で歩行者のフリーとなった人差し指と親指を支持可能な指支持部を有するため、人差し指と親指を指支持部上に例えば載置してグリップを操作でき、グリップの操作性を一層向上させることができる。
【００１０】
さらに、請求項３に記載の発明によれば、請求項２に記載の発明の効果に加え、指支持部が、グリップ本体の上端部に形成された親指載置部と人差し指載置部とを有するため、両載置部に人差し指と親指を安定して載置できると共に、人差し指で例えば人差し指載置部より小さい親指載置部の側面を握ることができ、両指によるグリップの操作性をより一層向上させることができる。
【００１１】
また、請求項４に記載の発明は、請求項３に記載の発明の効果に加え、人差し指載置部と親指載置部の載置面及び親指載置面の側面が共に凹曲面を有するため、各指でグリップ本体を握った際に、各載置部に人差し指と親指を安定して載置維持でき、グリップの操作性をより一層向上させることができる。
【図面の簡単な説明】
【００１２】
【図１】本発明に係わるグリップを使用した歩行補助用ポールの正面図
【図２】同グリップの基本概念を示す歩行方向斜め後方側から見た場合の斜視図
【図３】同歩行方向斜め前方側から見た場合の斜視図
【図４】同グリップの具体的な実施形態を示す縦断面図
【図５】同その上端部の縦断面図
【図６】同その横断面図
【図７】同下端部の縦断面図
【図８】同そのストラップ支持部材の平面図
【図９】同グリップを手で握った状態を示す斜視図
【発明を実施するための形態】
【００１３】
以下、本発明を実施するための形態を図面に基づいて詳細に説明する。
本発明のグリップ１は、図１に示す歩行補助用ポール２に取り付けられて使用される。すなわち、歩行補助用ポール２は、所定長さかもしくは長さ調整可能なポール３を有し、このポール３の先端である下端には、歩行時の衝撃吸収用のゴムキャップ４が取り付けられ、ポール３の上端にはグリップ１が取り付けられている。
【００１４】
そして、前記グリップ１は、図２及び図３の基本概念図に示すように、断面略楕円形状に形成されたグリップ本体５と、このグリップ本体５の上端部５ａと下端部５ｂとの間に配設されたストラップ６を備えている。前記グリップ本体５は、その長手方向の中間位置に中指と薬指及び小指（以下、３本の指という）で握るための所定長さの握り部７を有している。
【００１５】
この握り部７の上部には、歩行方向イ（図２参照）の前方側と歩行方向イと直交する両側方側に曲面を有して突出した指支持部８が一体形成されている。この指支持部８に人差し指と親指が載置されると共に、握り部７を握った際の中指の上方への移動を規制するウィングの機能を有するようになっている。
【００１６】
前記指支持部８は、握り部７の上端部に平面視で略楕円形状で握り部７より径大に形成された人差し指載置部８ａと、この人差し指載置部８ａの幅方向の中央部分でグリップ本体５の前方側から所定距離まで、人差し指載置部８ａ上に側面８ｃを有して所定寸法高く形成された親指載置部８ｂを有している。このとき、親指載置部８ｂの前方側から後方側にかけた周囲に所定幅を有して前記人差し指載置部８ａが位置した状態、すなわち人差し指載置部８ａの載置面上に親指載置部８ｂが突出形成された状態となっている。
【００１７】
そして、人差し指載置部８ａの載置面は、歩行者の人差し指で親指載置部８ｂの側面８ｃを握った際に、人差し指の下面が載置可能な大きさに設定されると共に、全体が凹曲面で形成されている。また、親指載置部８ｂの載置面も人差し指載置部８ａの載置面と同様に凹曲面で形成されると共に、その側面８ｃも凹曲面で形成されている。つまり、グリップ本体５の握り部７を前記３本の指で握った際にフリーな状態の人差し指が人差し指載置部８ａ上に載置されると共に、人差し指で親指載置部８ｂの側面８ｃを握った状態となり、かつ親指は親指載置部８ｂの載置面上に載置された状態となる。
【００１８】
また、前記握り部７の下部には、前方側と両側方側に曲面を有して突出した小指支持部９が一体形成されており、この小指支持部９で小指の下方への移動等が規制されるようになっている。また、この小指支持部９の下部には、前記ストラップ６の下端を取り付けるための下部ストラップ支持部材１１（図３参照）が配設されている。
【００１９】
前記ストラップ６は、所定幅の布製で前記グリップ本体５の握り部７の長さに対応して３本の指の甲側を支持可能な長さに形成され、その上端部が前記グリップ本体５の指支持部８の前方側に配設された上部ストラップ支持部材１０（図３参照）にその長さが固定的に連結されている。また、ストラップ６の下端部は、前記下部ストラップ支持部材１１に長さ調整可能に連結されている。
【００２０】
図４〜図８は、前記グリップ１をより具体化した実施形態を示している。以下、前記基本概念図と同一部位には同一符号を付して説明する。図４〜図６に示すように、前記上部ストラップ支持部材１０は、例えば樹脂板により平面視長方形状に形成され、その基端部がグリップ本体５に設けた取付凹部１２内に嵌挿されて図示しないねじ等により固定され、先端部がグリップ本体５の後面側に所定寸法突出し、この先端部には長孔からなる係止孔１０ａが形成されている。
【００２１】
また、下部ストラップ支持部材１１は、例えば樹脂板により形成され、図３、図７及び図８に示すように、グリップ本体５の下端部５ｂに形成された円筒形状の支持部材取付部１３に嵌合可能な円環状の嵌合部１１ａと、この嵌合部１１ａの外周面の一箇所に外方に突出状態で形成された係止部１１ｂを有し、係止部１１ｂには長孔からなる係止孔１１ｃが形成されている。そして、この下部ストラップ支持部材１１は、前記支持部材取付部１３の外周面の円環状の溝１３ａに、その嵌合部１１ａを固定的もしくは回動可能に嵌合することで、グリップ本体５に取り付けられ、このとき、係止部１１ｂはグリップ本体５の歩行方向イ前方側に位置するように設定されている。
【００２２】
また、ストラップ６の上端部を上部ストラップ支持部材１０の係止孔１０ａに固定的に係止させ、ストラップ６の下端部を下部ストラップ支持部材１１の係止部１１ｂの係止孔１１ｃに着脱可能に係止させることで、ストラップ６がグリップ本体５に取り付けられて一体化されている。なお、ストラップ６の下端部の下部ストラップ支持部材１１等への取り付けは、下端部を係止部１１ｂの係止孔１１ｃに挿入して折り返し、この折り返した下端部をストラップ６の表面に、図示しない布製ファスナー等を利用して係止させることで行うことができる。
【００２３】
このように構成されたグリップ１は、次のようにして使用される。先ず、グリップ本体５は、製造会社において、その軸心位置に形成された取付孔１５（図５及び図７参照）を、グリップ本体５自体の弾性や接着材を利用してポール３の上端に嵌合することでポール３の上部に取り付けられて出荷される。この製造及び出荷時において、ストラップ６は、その上端部が上部ストラップ支持部材１０の係止孔１０ａに取り付けられ、その下端部が下部ストラップ支持部１１の係止部１１ｂに取り付けられた状態となる。
【００２４】
そして、歩行者が２本の歩行補助用ポール２を左右の手で持ってノルディック・ウォーク（歩行）をする場合は、図９に示すように、各手１６の中指１６ｃ、薬指１６ｄ及び小指１６ｅの３本の指を、各手１６に対応した歩行補助用ポール２のストラップ６の内側に入れて各指１６ｃ〜１６ｅでグリップ本体５の握り部７を握ると共に、ストラップ６の下端部の長さを調整してストラップ６の内面が３本の指１６ｃ〜１６ｅの甲側に軽く接触するようにする。このストラップ６の長さ調整は、左手用と右手用の各歩行補助用ポール２についてそれぞれ行うことになる。
【００２５】
また、３本の指１６ｃ〜１６ｅでグリップ本体５の握り部７を握りストラップ６を調整した状態において、歩行を始める場合、フリーとなっている人差し指１６ｂを指支持部８の人差し指載置部８ａの載置面上に載置し、親指１６ａを指支持部８の親指載置部８ｂの載置面上に載置する。このとき、人差し指１６ｂは人差し指載置部８ａの載置面上に載置されると共に、親指載置部８ｂの側面８ｃを握った状態となる。
【００２６】
これにより、全ての指１６ａ〜１６ｅでグリップ本体５が握られた状態となり、その際、親指１６ａと人差し指１６ｂがフリーであることから、この親指１６ａや人差し指１６ｂで３本の指１６ｃ〜１６ｅを起点としてグリップ本体５をスムーズに動かすことができると共に、従来のようなグリップ本体５を４本の指で握った場合に受けるストレスを極力少なくしつつ、グリップ本体５の操作性が向上した状態での歩行が可能になる。
【００２７】
このように前記グリップ１によれば、ストラップ６が歩行者の３本の指１６ｃ〜１６ｅの甲を支持可能にグリップ本体５に取り付けられているため、親指１６ａと人差し指１６ｂをフリーとして、ストラップ６内に３本の指１６ｃ〜１６ｅを位置させることで、歩行時に歩行者が手に受けるストレスを軽減することができると共に、フリーな状態の親指１６ａと人差し指１６ｂとによりグリップ１の的確な操作が可能になり、グリップ１の操作性を向上させて、歩行補助効果を十分に高めることができる。
【００２８】
また、指支持部８が、グリップ本体５の上端部に形成された人差し指載置部８ａと、この人差し指載置部８ａより小さくかつ一段高く形成され歩行者の親指１６ａを載置可能な親指載置部８ｂとを有するため、両載置部８ａ、８ｂに人差し指１６ｂと親指１６ａを安定して載置できると共に、人差し指１６ｂで人差し指載置部８ａより小さい親指載置部８ｂの側面８ｃを握ることができて、両指１６ａ、１６ｂによるグリップ１の操作性をより一層向上させることができる。
【００２９】
さらに、人差し指載置部８ａと親指載置部８ｂの載置面が共に凹曲面で形成されているため、各指でグリップ本体５の握り部７を握った際に、各載置部８ａ、８ｂに人差し指１６ｂと親指１６ａの下面側を安定して載置維持できると共に、人差し指載置部８ａ上に立設状態となる親指載置部８ｂの側面８ｃが凹曲面で形成されているため、人差し指１６ｂの側面側も安定支持することができ、グリップ１の操作性等をより一層向上させることができる。また、グリップ本体５の握り部７を握った中指１６ｃの上方への移動をグリップ本体５に一体成形した人差し指載置部８ａで規制できるため、従来のような別部品としてのウィングが不要となり、グリップ１の構成を簡略化して安価に形成することができる。
【００３０】
なお、前記実施形態においては、グリップ本体５の握り部７の上部に、人差し指載置部８ａと親指載置部８ｂを有する指支持部８を一体成形で設けたが、本発明はこの構成に限定されず、３本の指１６ｃ〜１６ｅで握ることが可能な握り部７の上部に、例えば樹脂板等によりグリップ本体５とは別体で形成された人差し指載置部としての支持部材（図示せず）を固定し、この支持部材上にグリップ本体５に一体形成された親指載置部８ｂが位置するようにしても良い。
【００３１】
また、前記実施形態において、人差し指載置部８ａと親指載置部８ｂを有する指支持部８としての支持部材を握り部７とは別体で形成し、これを握り部７の上端に適宜の固着手段で固定しても良く、本発明は、３本の指で握ることが可能で、人差し指１６ｂと親指１６ａをフリーな状態で支持できる適宜の支持部材を有する構成であれば良い。さらに、前記実施形態においては、指支持部８の人差し指載置部８ａの載置面と、親指載置部８ｂの載置面及び側面８ｃを、その全体が凹曲面である場合について説明したが、各面の一部を凹曲面で形成することも勿論可能である。
【００３２】
また、前記実施形態における、グリップ本体５の各部の形状、ストラップ６の構成、上部ストラップ支持部材１０及び下部ストラップ支持部材１１の構成等は一例であって、例えばストラップ６の長さ調整を上下で可能として、ストラップ６とグリップ本体５の位置を手の形態に応じた位置に設定したり、あるいはストラップ６自体のグリップ本体５からの取り外しを可能として、その交換を容易に行えるようにする等、本発明に係わる各発明の要旨を逸脱しない範囲において、適宜の構成を採用することができる。
【産業上の利用可能性】
【００３３】
本発明は、ノルディック・ウォーク用の歩行補助用ポールへの適用に限らず、リハビリ用や高齢者が歩行する際に使用する杖にも適用できる等、歩行を補助することが可能な全ての歩行補助用ポールのグリップに利用可能である。
【符号の説明】
【００３４】
１・・・・・・・・グリップ
２・・・・・・・・歩行補助用ポール
３・・・・・・・・ポール
４・・・・・・・・ゴムキャップ
５・・・・・・・・グリップ本体
５ａ・・・・・・・上端部
５ｂ・・・・・・・下端部
６・・・・・・・・ストラップ
７・・・・・・・・握り部
８・・・・・・・・指支持部
８ａ・・・・・・・人差し指載置部
８ｂ・・・・・・・親指載置部
８ｃ・・・・・・・側面
９・・・・・・・・小指支持部
１０・・・・・・・上部ストラップ支持部材
１０ａ・・・・・・係止孔
１１・・・・・・・下部ストラップ支持部材
１１ａ・・・・・・嵌合部
１１ｂ・・・・・・係止部
１１ｃ・・・・・・係止孔
１２・・・・・・・取付凹部
１３・・・・・・・支持部材取付部
１６・・・・・・・手
１６ａ・・・・・・親指
１６ｂ・・・・・・人差し指
１６ｃ・・・・・・中指
１６ｄ・・・・・・薬指
１６ｅ・・・・・・小指
【図１】
2016030116.tif 000003
【図２】
2016030116.tif 000004
【図３】
2016030116.tif 000005
【図４】
2016030116.tif 000006
【図５】
2016030116.tif 000007
【図６】
2016030116.tif 000008
【図７】
2016030116.tif 000009
【図８】
2016030116.tif 000010
【図９】
2016030116.tif 000011